(57)【要約】
【課題】  費用と手間をかけずに，収納された衣服や布団をなどに繁殖する各種有害な細菌を除去し，また不快な臭いを除去する。
【解決手段】香を噴射する香噴射器１６と，紫外線を放出する紫外線ランプ２０と，ドア３２の開閉を感知するドア開閉感知部１４と，少なくとも殺菌動作を行わない一般収納モード又は少なくとも殺菌動作を行う殺菌収納モードの選択が可能なモード選択部１２と，香噴射器駆動部とランプ駆動部とを制御する制御部２６と，収納空間を複数の収納空間に仕切り，格子状の孔を有する仕切板４５とを備え，制御部は，モード選択部で選択されたモードに応じた制御を行い，殺菌収納モードではドア開閉感知部からの感知信号に基づいて，紫外線ランプを点灯し，香噴射器を駆動するように制御し，一般収納モードでは，少なくとも紫外線ランプを消灯し紫外線放出が停止するように制御する。
【選択図】    図１
0003100772.tif 000002
【実用新案登録請求の範囲】
【請求項１】
収納空間を有する家具であって，
前記収納空間内に設けられ，所定の香を噴射する香噴射器と，
前記香噴射器を駆動させる香噴射器駆動部と，
前記収納空間内に設けられ，紫外線を放出する紫外線ランプと，
前記紫外線ランプを駆動させるランプ駆動部と，
一般収納モードと殺菌収納モードのいずれかを選択可能なモード選択部と，
前記香噴射器駆動部とランプ駆動部とを制御する制御部と，
前記収納空間を複数の収納空間に仕切り，格子状の孔を有する仕切板とを備え，
前記制御部は，前記モード選択部で選択されたモードに応じた制御を行い，前記殺菌収納モードでは，前記ランプ駆動部を駆動制御するとともに前記香噴射器駆動部を駆動制御し，前記一般収納モードでは，少なくとも前記紫外線ランプから紫外線が放出されないように前記ランプ駆動部を制御することを特徴とする家具。
【請求項２】
格子状の孔を有する天板を備える引出を前記収納空間内にさらに設けたことを特徴とする請求項１に記載の家具。
【請求項３】
前記香噴射器は，前記仕切板により仕切られた各収納空間のうち最上段の収納空間に設置され，様々な種類の香を選択的に収容可能であることを特徴とする請求項１又は２に記載の家具。
【請求項４】
前記紫外線ランプは，前記仕切板により仕切られた各収納空間または１つの収納空間に設置され，所定形状の保護網により保護されることを特徴とする請求項１〜３のいずれかに記載の家具。
【請求項５】
前記保護網は，格子網状に形成されることを特徴とする請求項４に記載の家具。
【請求項６】
前記収納空間を開閉するドアの開閉を感知するドア開閉感知部を設け，
前記制御部により前記ランプ駆動部を駆動制御する際は，前記ドア開閉感知部の感知信号がドア閉鎖信号の場合には前記紫外線ランプから紫外線が放出されるように制御し，前記ドア開閉感知部の感知信号がドア開放信号の場合には前記紫外線ランプからの紫外線放出が停止するように制御することを特徴とする請求項１〜５のいずれかに記載の家具。
【請求項７】
前記収納空間を開閉するドアの開閉を感知するドア開閉感知部を設け，
前記制御部により前記香噴射器駆動部を駆動制御する際は，前記ドア開閉感知部からの感知信号がドア閉鎖信号の場合には所定時間ことに前記香噴射器から香が噴射されるように制御し，前記ドア開閉感知部の感知信号がドア開放信号の場合には前記香噴射器からの香噴射が停止するように制御することを特徴とする請求項１〜５のいずれかに記載の家具。
【請求項８】
前記ドア開閉感知部は，光センサ又はマイクロスイッチで構成されることを特徴とする請求項６又は７に記載の家具。
【請求項９】
前記紫外線ランプに流れる電流を安定して供給する安定化回路部をさらに設けたことを特徴とする請求項１〜８のいずれかに記載の家具。
【請求項１０】
前記紫外線ランプから放出される紫外線を反射させる鏡が前記ドアの内側にさらに設置されることを特徴とする請求項１〜９のいずれかに記載の家具。
【考案の詳細な説明】
【技術分野】
【０００１】
本考案は，衣類，布団などを収納する家具に関する。
【背景技術】
【０００２】
一般に，家具には衣服を収納して保管するタンスと布団を収納して保管する布団入れがある。近年，タンスと布団入れが一体の家具が広く普及してきている。このような家具内には例えば女性用下着，乳児用綿おむつ，乳児用綿タオル，布団，衣服などが収納される。家具内に保管された上記衣服など一連のものは長期に渡って保管されると害虫やかびなどにより損傷する場合がある。これを防止するため，従来は，家具内に化学薬品（ナフタリンなど）を入れ，この薬品から出る臭いで害虫を退治し，密閉された空間に保管される衣服や布団などにかび菌などの細菌が繁殖するのを防止していた。
【考案の開示】
【考案が解決しようとする課題】
【０００３】
しかしながら，上記化学薬品をタンスや布団入れに入れた場合，この化学薬品の臭いが衣服や布団などに付くため，その臭いを消すために洗濯をしたり，または臭い除去剤を散布して臭いを除去するなど手間がかかっていた。特に，布団の場合には洗濯するのが難しく，天日干しすることで紫外線を利用し，臭いを除去する場合もある。これでは手間も時間もかかってしまう。
【０００４】
また，上記化学薬品を布団入れやタンスの中に入れておいても湿気により，衣服や布団にかびが生え，衣服や布団を洗濯しなければならない場合もある。かびなどがひどい場合には衣服や布団自体廃棄しなければならないこともある。これを未然に防止するために，別途の湿気除去剤を布団入れやタンスの中に入れると，その分費用がかかる。特に湿気除去剤は定期的に交換する必要があるため，その手間も費用がかかる。したがって湿気除去剤の交換を怠ったって，タンスや布団入れ内に保管された衣服や布団は常時湿気に露出されることになることも多い。
【０００５】
さらに最近，衣服や布団を密閉袋に入れ空気を抜き出して保管する家庭が増えているが，このような密閉袋の費用がかかり，密閉袋に出し入れする手間もかかる。また密閉袋内の空気を抜き出す作業を反復する場合，この密閉袋が裂けることもあるため，密閉袋のリサイクルが難しい場合もある。
【０００６】
そこで，本考案は，このような問題に鑑みてなされたもので，その目的とするところは，費用と手間をかけずに，収納された衣服や布団をなどに繁殖する各種有害な細菌を除去することができ，また不快な臭いを除去することができる家具を提供することにある。
【課題を解決するための手段】
【０００７】
上記課題を解決するために，本考案によれば，収納空間を有する家具であって，前記収納空間内に設けられ，所定の香を噴射する香噴射器と，前記香噴射器を駆動させる香噴射器駆動部と，前記収納空間内に設けられ，紫外線を放出する紫外線ランプと，前記紫外線ランプを駆動させるランプ駆動部と，一般収納モードと殺菌収納モードのいずれかを選択可能なモード選択部と，前記香噴射器駆動部とランプ駆動部とを制御する制御部と，前記収納空間を複数の収納空間に仕切り，格子状の孔を有する仕切板とを備え，前記制御部は，前記モード選択部で選択されたモードに応じた制御を行い，前記殺菌収納モードでは，前記ランプ駆動部を駆動制御するとともに前記香噴射器駆動部を駆動制御し，前記一般収納モードでは，少なくとも前記紫外線ランプから紫外線が放出されないように前記ランプ駆動部を制御することを特徴とする家具が提供される。
【０００８】
このような本考案によれば，収納空間内に紫外線ランプを設けたので，紫外線ランプによる殺菌機能により家具内の有害な菌を殺菌し，太陽光に直接露出して乾燥できなかった衣類や布団などに対し，日光乾燥させたのと同じ効果を得ることができ，ダニや害虫からの被害の防止できるとともに，不快な臭いを防止することができる。収納空間内に香噴射器を設けたので，殺菌機能（又は消毒機能）だけでなく，芳香機能（又は脱臭機能）を発揮することができる。
【０００９】
また，モード選択部により使用者の好みに応じて一般収納モードと殺菌収納モードとを切換えることができる。特に殺菌収納モードでは，紫外線ランプによる殺菌動作および香噴射器による香噴射動作が共に行われるため，殺菌機能（又は消毒機能）だけでなく芳香機能（坑菌脱臭機能）が発揮され，家具内の状態を滅菌状態に維持させ，残存細菌の繁殖を防止することができる。
【００１０】
また，上記家具において，格子状の孔を有する仕切板により収納空間を仕切ることにより，紫外線ランプからの紫外線と香噴射器による香は仕切板の孔を介して各収納空間に広がる。これにより，必ずしも各収納空間にそれぞれ紫外線ランプと香噴射器を設けなくても，殺菌効果，脱臭効果は各収納空間に及ぶようにすることができる。
【００１１】
また，上記家具において，格子状の孔を有する天板を備える引出を前記収納空間内にさらに設けるようにしてもよい。これにより，紫外線ランプからの紫外線と香噴射器による香は天板の孔を介して引出の内部まで広がるようにすることができる。
【００１２】
また，上記香噴射器は，前記仕切板により仕切られた各収納空間のうち最上段の収納空間に設置され，様々な種類の香を選択的に収容可能である如く構成してもよい。使用者好みの香が家具内に噴射され，不快な臭いを除去し，香が家具内に染みこんで使用者がドアを開放した時，非常に快適な雰囲気を提供することができる。また，香噴射器からの香は，各仕切板を介して各収納空間に広がる。
【００１３】
また，上記紫外線ランプは，前記仕切板により仕切られた各収納空間または１つの収納空間に設置され，所定形状の保護網により保護されるように構成してもよく，この保護網は，格子網状で形成してもよい。
【００１４】
また，上記収納空間を開閉するドアの開閉を感知するドア開閉感知部を設け，前記制御部により前記ランプ駆動部を駆動制御する際は，前記ドア開閉感知部の感知信号がドア閉鎖信号の場合には前記紫外線ランプから紫外線が放出されるように制御し，前記ドア開閉感知部の感知信号がドア開放信号の場合には前記紫外線ランプからの紫外線放出が停止するように制御してもよい。
【００１５】
また，上記収納空間を開閉するドアの開閉を感知するドア開閉感知部を設け，前記制御部により前記香噴射器駆動部を駆動制御する際は，前記ドア開閉感知部からの感知信号がドア閉鎖信号の場合には前記香噴射器から所定時間ことに香が噴射されるように制御し，前記ドア開閉感知部の感知信号がドア開放信号の場合には前記香噴射器からの香噴射が停止するように制御してもよい。上記ドア開閉感知部は例えば光センサ又はマイクロスイッチで構成してもよい。
【００１６】
また，前記紫外線ランプに流れる電流を安定して供給する安定化回路部をさらに設けてもよく，また前記紫外線ランプから放出される紫外線を反射させる鏡を前記ドアの内側にさらに設置してもよい。
【考案の効果】
【００１７】
本考案によれば，殺菌機能と芳香機能を併せ持つ家具を提供することができ，費用と手間をかけずに，収納された衣服や布団をなどに繁殖する各種有害な細菌を除去することができ，また不快な臭いを除去することができる。
【考案を実施するための最良の形態】
【００１８】
以下に添付図面を参照しながら，本考案の好適な実施の形態について詳細に説明する。なお，本明細書及び図面において，実質的に同一の機能構成を有する構成要素については，同一の符号を付することにより重複説明を省略する。
【００１９】
図１は本考案の実施形態にかかる家具の概略構成を示すブロック構成図で，図２は本実施形態にかかる家具におけるドアが開放された状態を示す斜視図あり，図３は図２の紫外線ランプ部３０の概略構成を示す斜視図である。ここでは，本実施形態にかかる家具として，例えば仕切板４５が一個で，この仕切板４５により仕切られる上部収納空間および下部収納空間があり，その下部収納空間の下段に引出３４が設置されているタンスを一例として説明する。
【００２０】
本実施形態にかかる家具５０は，図１に示すように，電源供給をオン/オフさせる電源スイッチ５，この電源スイッチ５がオンされることにより電源が必要な各構成要素へ所定の電源を供給する電源供給部１０，一般収納モード又は殺菌収納モードのいずれか一つのモードの選択が可能なモード選択部１２，家具のドア３２の開閉を感知するドア開閉感知部１４を備える。
【００２１】
また家具５０は，所定の香を噴射する香噴射器１６，この香噴射器１６を駆動させる香噴射器駆動部１８，紫外線を放出する紫外線ランプ２０，この紫外線ランプ２０を駆動させるランプ駆動部２２，上記紫外線ランプ２０に流れる電流を安定して提供するようランプ駆動部２２を制御する安定化回路部２４，上記モード選択部１２で選択されたモードに応じた動作を行うよう各部を制御する制御部２６を備える。制御部２６は，例えばモード選択部１２により殺菌収納モードが選択されているときは，ドア開閉感知部１４からの感知信号に応じて紫外線ランプ２０による紫外線放出および香噴射器１６による香噴射を行うように制御する。
【００２２】
上記家具５０は，図２に示すように，内部に収納空間を形成する枠体５１と，枠体５１の前方に設けられた２枚の扉で構成されるドア３２を備える。ドア３２のうち片側の扉の裏面には鏡４７が設置される。その鏡４７はドア３２の両側の扉の裏面に設置してもよい。家具５０の枠体外側からは商用電源に接続する電源プラグ１が延出して設けられている。この電源プラグ１を介して上記電源供給部１０に電源が供給される。
【００２３】
家具５０内の収納空間は，仕切板４５により上部収納空間５２と下部収納空間５３に仕切られる。仕切板４５は，格子状の孔を有する形状例えば格子網形状に形成される。また仕切板４５は例えばステンレス材で構成される。家具５０内の下部収納空間５３にはその下部に引出３４が設けられている。この引出３４の前面には取っ手が取付けられている。また引出３４の前面の材質は木材である。
【００２４】
引出３４の天板は，女性用下着，乳児用綿オムツ，乳児用綿タオルなどを収納できる格子状の孔を有する例えば網状の収納台４９で構成され，この収納台４９は摺動自在（スライディング式）に構成されており，引出すことができる。この収納台４９は例えばステンレス材で構成される。
【００２５】
また家具５０の上部収納空間５２を構成する枠体の側面内側には，上記モード選択部１２例えばスイッチ１２ａ，１２ｂが取付けられている。スイッチ１２ａは，一般収納モードを選択するためのものであり，スイッチ１２ｂは殺菌収納モードを選択するためのものである。なお，各スイッチ１２ａ，１２ｂの設置位置は，他の場所であってもよい。
【００２６】
また，家具５０の上部収納空間５２を構成する枠体の側壁内面には，上記ドア開閉感知部１４を構成する例えば光センサが設けられている。なお，ドア開閉感知部１４はマイクロスイッチで構成してもよい。また，ドア開閉感知部１４の設置位置は，上部収納空間５２，下部収納空間５３どちらでもよく，下部収納空間５３に設置してもよい。
【００２７】
また，家具５０の仕切板４５で仕切られる収納空間のうち最上段の収納空間内には香噴射器１６が設けられる。すなわち，本実施形態では，香噴射器１６は家具５０の上部収納空間５２を構成する枠体の側壁内面に設置されている。香噴射器１６には色々な種類の香原液を収容可能である。これにより，使用者が選択した香を噴射させることができる。
【００２８】
家具５０の上部収納空間５２及び下部収納空間５３にはそれぞれ紫外線ランプ２０を収容する紫外線ランプ部３０が取付けられている。具体的には一方の紫外線ランプ部３０は家具５０の上部収納空間５２を構成する枠体の上部内面に取付けられており，他方の紫外線ランプ部３０は，家具５０の下部収納空間５３を構成する仕切板４５の下側面に取付けられている。
【００２９】
上記各紫外線ランプ部３０は，図３に示すように，紫外線ランプ２０，この紫外線ランプ２０のソケット３０ａ，このソケット３０ａに設けられ，紫外線ランプ２０からの紫外線を各収納空間５２，５３内へ向けて反射させる所定形状の反射板３０ｂ，ソケット３０ａの開口部を覆うように設けられた格子網状の保護網４０を備える。これにより，紫外線ランプ２０で放出される紫外線はソケット３０の反射板３０ｂにより下方向すなわち各収納空間５２，５３に向けて照射される。なお，本実施形態では紫外線ランプ２０を各収納空間５２，５３に設置しているが，必ずしもこれに限定されるものではなく，上部収納空間５２にだけ設置してもよい。また，紫外線ランプ２０およびソケット３０の形状は図３に示すものに限定されず，これとは異なる形状であってもよい。
【００３０】
紫外線ランプ部３０は，上記制御部２６により，ドア開閉感知部１４からの感知信号がドア閉鎖信号の場合には紫外線ランプ２０から紫外線が放出されるように制御され，ドア開閉感知部１４からの感知信号がドア開放信号の場合には紫外線ランプ２０から紫外線放出が停止するように制御される。
【００３１】
また，香噴射器１６は，上記制御部２６により，ドア開閉感知部１４からの感知信号がドア閉鎖の信号の場合には例えば，１分，３分，５分，１０分，１５分など所定時間毎に香噴射器１６から香が噴射されるように制御され，ドア開閉感知部１４からの感知信号がドア開放の信号の場合には香噴射器１６から香噴射が停止するように制御される。このように，本実施形態にかかる家具５０によれば，所定時間毎に香噴射されるように制御することも可能であり，またドア３２が閉じられている時には少量ずつの香噴射動作が継続的に行われるように制御することも可能である。
【００３２】
なお，家具５０の外面は例えば木材で構成され，内面は薄いステンレス材質で構成されるようにしてもよい。なお，家具５０の内面は，例えばタンスや布団入れの場合には外面と同じ木材で構成してもよく，下着用収納の場合にはステンレス材にしてもよい。
【００３３】
次に，本実施形態にかかる家具５０の動作について説明する。まず，電源プラグ１が商用電源のコンセントに差し込まれた状態で電源スイッチ５がオンされると，制御部２６は既に設定されているモードが一般収納モードか又は殺菌収納モードかを判断する。
【００３４】
一般収納モードであると判断した場合，制御部２６は紫外線ランプ２０を駆動せず，殺菌動作が行われないように制御する。一般収納モードでは殺菌動作は行わないが，香噴射器１６からの香噴射動作を行うようにしてもよい。この場合には，制御部２６は所定時間毎に香噴射器駆動部１８を駆動させて，香噴射器１６から所定の香が噴射されるようにする。また，一般収納モードでは殺菌動作のみならず，香噴射動作も行われないようにすることも可能である。
【００３５】
これに対して，既に設定されたモードが殺菌収納モードである場合，または使用者がモード選択部１２を操作して，殺菌収納モードに転換させた場合，制御部２６はランプ駆動部２２および安定化回路部２４を駆動させ，紫外線ランプ２０から安定した紫外線放出ができるようにする。ここで，その紫外線放出はドア３２が閉じられている場合のみ行われる。具体的には，制御部２６は，ドア開閉感知部１４からの感知信号によりドア３２が閉状態であると判断した場合，すなわち上記感知信号がドア閉鎖信号の場合には紫外線ランプ２０を点灯させて紫外線が放出されるように制御する。また，ドア３２が開状態であると判断した場合，すなわちドア開閉感知部１４からの感知信号がドア開放信号の場合には紫外線ランプ２０を消灯させて紫外線放出が停止するように制御する。
【００３６】
各収納空間５２，５３に設置された紫外線ランプ部３０から放出される紫外線は保護網４０を介して，各収納空間５２，５３の内部に広がる。さらに，本実施形態にかかるドア３２の片側裏面には鏡４７が設置されているため，放出される紫外線がその鏡４７により反射されて，反射効率が高まる。これにより，各収納空間５２，５３内の布団または衣服などに繁殖する各種の細菌が撲滅される。またその紫外線の熱により，防湿効果も付随的に得られる。
【００３７】
ところで，一般に，紫外線はガラスをすべて透過するものではない。従って，例えば排気ガス等の影響を受けやすい道路脇のアパートや梅雨期にはベランダの窓ガラスを閉じておくため，紫外線による日光消毒ができない。このため，室内干した女性用下着，乳児用品などの衣類等には細菌残存の可能性が高い。この点，本実施形態にかかる家具５０における紫外線放出動作により，室内干した衣類等でも各種の細菌撲滅および防湿効果を得ることができる。
【００３８】
また，引出３４の上面はステンレス材の網形態の収納台４９で構成するため，紫外線ランプ２０から放出される紫外線は，各収納空間５２，５３だけではなく，引出（３４）内部まで入り込む。これにより引出３４の内部に存在する細菌をも撲滅することができ，引出３４内部においても防湿効果を得ることが可能である。
【００３９】
一方，上述した殺菌収納モード動作中に，ドア開閉感知部１４からの感知信号がドア閉鎖信号であった場合，制御部２６は香噴射動作が所定時間毎に遂行されるように制御する。まず香噴射器駆動部１８を駆動させ，香噴射器１６を作動させる。この時，香噴射器１６は使用者の好みにより選択された香を所定時間毎に噴射することができる。香噴射器１６における香噴射は所定時間周期でなく，ドア３２が閉じられている間，継続的に少量ずつ噴射されるようにすることも可能である。
【００４０】
香噴射器１６で噴射された香は，上部収納空間５２に広がるとともに，格子網状の仕切板４５および引出３４を通じて，下部収納空間５３および引出３４内部まで広がる。これにより，家具５０内の各収納空間５２，５３の悪い臭いが除去および脱臭されるだけでなく香が家具５０内に染み込む。
【００４１】
また使用者がドア３２を開くと，ドア開閉感知部１４からの感知信号が開放信号になり，制御部２６は香噴射器駆動部１８の動作を停止させ，香噴射器１６での香噴射動作を停止させる。またランプ駆動部２２の動作を停止させ，紫外線ランプ２０からの紫外線放出動作を停止させる。
【００４２】
このような本実施形態にかかる家具５０によれば，紫外線ランプ２０による殺菌動作は，家具５０内の有害な菌を殺菌し，太陽光に直接露出して乾燥できない場合でも，衣類や布団などに対し，日光乾燥させたのと同じ効果を得ることができ，ダニや害虫からの被害の防止と不快な臭いから解放される効果を得ることができる。
【００４３】
そして，使用者好みの香が家具５０内に噴射され，不快な臭いを除去し，香が家具５０内に染み込むので，使用者がドアを開放した時，非常に快適な雰囲気を提供してくれる効果がある。特に，紫外線ランプ２０による殺菌動作および香噴射器１６による香噴射動作が共に行われることにより，殺菌および消毒効果だけでなく坑菌および脱臭機能が遂行され，家具５０内の状態を滅菌状態に維持させ，残存細菌の繁殖を防止することができる。
【００４４】
以上，添付図面を参照しながら本考案の好適な実施形態について説明したが，本考案は係る例に限定されないことは言うまでもない。当業者であれば，実用新案登録請求の範囲に記載された範疇内において，各種の変更例または修正例に想到し得ることは明らかであり，それらについても当然に本考案の技術的範囲に属するものと了解される。
【産業上の利用可能性】
【００４５】
本考案は，衣類，布団などを収納する家具に適用可能である。
【図面の簡単な説明】
【００４６】
【図１】本考案の実施形態にかかる家具の概略構成を示すブロック図である。
【図２】本考案にかかる家具におけるドアが開放された状態を示す斜視図である。
【図３】図２に示す紫外線ランプ部の概略構成を示す斜視図である。
【符号の説明】
【００４７】
１      電源プラグ
５      電源スイッチ
１０      電源供給部
１２      モード選択部
１２ａ    スイッチ
１２ｂ    スイッチ
１４      ドア開閉感知部
１６      香噴射器
１８      香噴射器駆動部
２０      紫外線ランプ
２２      ランプ駆動部
２４      安定化回路部
２６      制御部
３０      ソケット
３０      紫外線ランプ部
３０ａ    ソケット
３０ｂ    反射板
３２      ドア
３４      引出
４０      保護網
４５      仕切板
４７      鏡
４９      収納台
５０      家具
５１      枠体
５２      上部収納空間
５３      下部収納空間
【図１】
0003100772.tif 000003
【図２】
0003100772.tif 000004
【図３】
0003100772.tif 000005